(57)【特許請求の範囲】
【請求項１】
複数ページの画像データを各用紙の両面に印刷させ、複数の用紙を出力させる画像処理装置において、
前記複数の用紙が製本処理された場合の製本物の見開きページに対して左ページに配置するか、右ページに配置するかを、前記複数ページのそれぞれに対しユーザに選択させて、各ページの配置を設定させる設定手段と、
前記設定手段で設定された各ページの配置に応じて、各ページの画像データにおけるページの割り付けを制御する制御手段
を有することを特徴とする画像処理装置。
【請求項２】
前記制御手段は、前記設定手段で設定される所望のページの前に空白ページを挿入する必要がある場合、前記複数ページの画像データに空白画像データを挿入することを特徴とする請求項１に記載の画像処理装置。
【請求項３】
前記制御手段は、前記設定手段で設定される所望のページの画像データが割り付けられるページに基づいて、前記所望のページに続く次のページの画像データにおけるページの割り付けを制御することを特徴とする請求項１に記載の画像処理装置。
【請求項４】
原稿をスキャンして原稿上の画像を読み取る画像読み取り手段をさらに有することを特徴とする請求項１に記載の画像処理装置。
【請求項５】
前記複数ページの画像データを各用紙の両面に印刷する両面印刷手段をさらに有することを特徴とする請求項１に記載の画像処理装置。
【請求項６】
両面に印刷された用紙の中央部分をステッチするステッチ手段と、前記ステッチ手段によってステッチされた中央部分を折り目として半分に折り返す折り手段をさらに有することを特徴とする請求項５に記載の画像処理装置。
【請求項７】
前記設定手段は、さらに所望のページの画像データを左右どちらのページに配置させるかを指定しない設定が可能であることを特徴とする請求項１に記載の画像処理装置。
【請求項８】
複数ページの画像データを各用紙の両面に印刷させ、複数の用紙を出力させる画像処理装置の制御方法において、
前記複数の用紙が製本処理された製本物の見開きページに対して左ページに配置するか、右ページに配置するかを、前記複数ページのそれぞれに対しユーザに選択させて、各ページの配置を設定させる設定ステップと、
前記設定ステップで設定された各ページの配置に応じて、各ページの画像データにおけるページの割り付けを実行させるページ割り付けステップ
を有することを特徴とする画像処理装置の制御方法。
【請求項９】
前記ページ割り付けステップは、前記設定ステップで設定される所望のページの前に空白ページを挿入する必要がある場合、前記複数ページの画像データに空白画像データを挿入させることを特徴とする請求項８に記載の画像処理装置の制御方法。
【請求項１０】
前記ページ割り付けステップは、前記設定ステップで設定される所望のページの画像データが割り付けられるページに基づいて、前記所望のページに続く次のページの画像データにおけるページの割り付けを実行させることを特徴とする請求項８に記載の画像処理装置の制御方法。
【請求項１１】
原稿をスキャンして原稿上の画像を読み取る画像読み取りステップをさらに有することを特徴とする請求項８に記載の画像処理装置の制御方法。
【請求項１２】
前記複数ページの画像データを各用紙の両面に印刷する両面印刷ステップをさらに有することを特徴とする請求項８に記載の画像処理装置の制御方法。
【請求項１３】
両面に印刷される前記出力物の中央部分をステッチするステッチ・ステップと、前記ステッチ・ステップによってステッチされた中央部分を折り目として半分に折り返す折りステップをさらに有することを特徴とする請求項１２に記載の画像処理装置の制御方法。
【請求項１４】
前記設定ステップは、さらに所望のページの画像データを左右どちらのページに配置させるかを指定しない設定が可能であることを特徴とする請求項８に記載の画像処理装置の制御方法。
【請求項１５】
複数ページの画像データを各用紙の両面に印刷させ、複数の用紙を出力させる画像処理装置の制御プログラムにおいて、
前記複数の用紙が製本処理された製本物の見開きページに対して左ページに配置するか、右ページに配置するかを、前記複数ページのそれぞれに対しユーザに選択させて、各ページの配置を設定させる設定ステップと、
前記設定ステップで設定された各ページの配置に応じて、各ページの画像データにおけるページの割り付けを実行させるページ割り付けステップ
を有することを特徴とする画像処理装置の制御プログラム。
【請求項１６】
前記ページ割り付けステップは、前記設定ステップで設定される所望のページの前に空白ページを挿入する必要がある場合、前記複数ページの画像データに空白画像データを挿入させることを特徴とする請求項１５に記載の画像処理装置の制御プログラム。
【請求項１７】
前記ページ割り付けステップは、前記設定ステップで設定される所望のページの画像データが割り付けられるページに基づいて、前記所望のページに続く次のページの画像データにおけるページの割り付けを実行させることを特徴とする請求項１５に記載の画像処理装置の制御プログラム。
【請求項１８】
前記設定ステップは、さらに所望のページの画像データを左右どちらのページに配置させるかを指定しない設定が可能であることを特徴とする請求項１５に記載の画像処理装置の制御プログラム。
【請求項１９】
複数ページの画像データを各用紙の両面に印刷させ、複数の用紙を出力させる画像処理装置の制御プログラムを記録したコンピュータ読み取り可能な記録媒体において、
前記複数の用紙が製本処理された製本物の見開きページに対して左ページに配置するか、右ページに配置するかを、前記複数ページのそれぞれに対しユーザに選択させて、各ページの配置を設定させる設定ステップと、
前記設定ステップで設定された各ページの配置に応じて、各ページの画像データにおけるページの割り付けを実行させるページ割り付けステップ
を有することを特徴とする画像処理装置の制御プログラムを記録したコンピュータ読み取り可能な記録媒体。
【発明の詳細な説明】
【０００１】
【発明の属する技術分野】
本発明は、画像処理装置および画像処理装置の制御方法に関し、より詳細には、複数ページの画像データをページ順になるように各用紙の表面と裏面に画像データを印刷させる画像処理装置および画像処理装置の制御方法に関する。
【０００２】
【従来の技術】
従来から、複写するための原稿を読み取り、得られた原稿画像データをハード・ディスク等の記憶装置に一旦記憶し、プリント・アウト時に、その記憶装置から原稿画像データを繰り返し読み出し、その原稿画像データに基づきプリント・アウトする電子ソート機能を備えたデジタル複写機が知られている。
【０００３】
このデジタル複写機でプリント・アウトされた複数の出力用紙は、ステイプル製本、パンフレット製本などの製本処理を製本処理装置で行っている。ステイプル製本は、製本処理装置のステイプル機能を利用して、重ねられた複数の出力用紙の所定箇所をステイプルすることにより実現されている。また、パンフレット製本は、製本処理装置のサドル・ステッチ機能を利用して、重ねられた複数の出力用紙を中心線で折り返すことにより実現されている。なお、パンフレット製本される出力用紙の表裏には、原稿画像データがそれぞれ２ページ分割り付けられるように、原稿画像データの配置が制御されている。
【０００４】
【発明が解決しようとする課題】
しかしながら、文書における章の最初のページを製本物の見開きページに対して一定の位置（左右どちらかのページ）に配置したい場合、または２ページにまたがる画像を製本物の見開き２ページに配置したい場合などは、原稿画像の途中に白紙を挿入したりして手間が掛かる上に、複数の個所で同様の処理を行いたい場合にはページの前後関係を逐次計算しながら行う必要があり、煩雑であるという問題があった。
【０００５】
本発明の目的は、このような問題に鑑みてなされたもので、その目的とするところは、製本処理される出力用紙が印刷されるときに、ページ配置の設定の有無により制御を替え、適切な処理ができる画像処理装置および画像処理装置の制御方法、画像処理装置の制御プログラムおよびその制御プログラムを記録したコンピュータ読み取り可能な記録媒体を提供することにある。
【０００６】
【課題を解決するための手段】
本発明は、このような目的を達成するために、請求項１に記載の発明は、複数ページの画像データを各用紙の両面に印刷させ、複数の用紙を出力させる画像処理装置において、前記複数の用紙が製本処理された場合の製本物の見開きページに対して左ページに配置するか、右ページに配置するかを、前記複数ページのそれぞれに対しユーザに選択させて、各ページの配置を設定させる設定手段と、前記設定手段で設定された各ページの配置に応じて、各ページの画像データにおけるページの割り付けを制御する制御手段を有することを特徴とするものである。
【０００７】
また、請求項２に記載の発明は、請求項１に記載の画像処理装置であって、前記制御手段は、前記設定手段で設定される所望のページの前に空白ページを挿入する必要がある場合、前記複数ページの画像データに空白画像データを挿入することを特徴とするものである。
【０００８】
また、請求項３に記載の発明は、請求項１に記載の画像処理装置であって、前記制御手段は、前記設定手段で設定される所望のページの画像データが割り付けられるページに基づいて、前記所望のページに続く次のページの画像データにおけるページの割り付けを制御することを特徴とするものである。
【０００９】
また、請求項４に記載の発明は、請求項１に記載の画像処理装置であって、原稿をスキャンして原稿上の画像を読み取る画像読み取り手段をさらに有することを特徴とするものである。
【００１０】
また、請求項５に記載の発明は、請求項１に記載の画像処理装置であって、前記複数ページの画像データを各用紙の両面に印刷する両面印刷手段をさらに有することを特徴とするものである。
【００１１】
また、請求項６に記載の発明は、請求項５に記載の画像処理装置であって、両面に印刷された用紙の中央部分をステッチするステッチ手段と、前記ステッチ手段によってステッチされた中央部分を折り目として半分に折り返す折り手段をさらに有することを特徴とするものである。
【００１２】
また、請求項７に記載の発明は、請求項１に記載の画像処理装置であって、前記設定手段は、さらに所望のページの画像データを左右どちらのページに配置させるかを指定しない設定が可能であることを特徴とするものである。
【００１３】
また、請求項８に記載の発明は、画像処理装置の制御方法であって、複数ページの画像データを各用紙の両面に印刷させ、複数の用紙を出力させる画像処理装置の制御方法において、前記複数の用紙が製本処理された製本物の見開きページに対して左ページに配置するか、右ページに配置するかを、前記複数ページのそれぞれに対しユーザに選択させて、各ページの配置を設定させる設定ステップと、前記設定ステップで設定された各ページの配置に応じて、各ページの画像データにおけるページの割り付けを実行させるページ割り付けステップを有することを特徴とする。
【００１４】
また、請求項９に記載の発明は、請求項８に記載の画像処理装置の制御方法であって、前記ページ割り付けステップは、前記設定ステップで設定される所望のページの前に空白ページを挿入する必要がある場合、前記複数ページの画像データに空白画像データを挿入させることを特徴とする。
【００１５】
また、請求項１０に記載の発明は、請求項８に記載の画像処理装置の制御方法であって、前記ページ割り付けステップは、前記設定ステップで設定される所望のページの画像データが割り付けられるページに基づいて、前記所望のページに続く次のページの画像データにおけるページの割り付けを実行させることを特徴とする。
【００１６】
また、請求項１１に記載の発明は、請求項８に記載の画像処理装置の制御方法であって、原稿をスキャンして原稿上の画像を読み取る画像読み取りステップをさらに有することを特徴とする。
【００１７】
また、請求項１２に記載の発明は、請求項８に記載の画像処理装置の制御方法であって、前記複数ページの画像データを各用紙の両面に印刷する両面印刷ステップをさらに有することを特徴とする。
【００１８】
また、請求項１３に記載の発明は、請求項１２に記載の画像処理装置の制御方法であって、両面に印刷される前記出力物の中央部分をステッチするステッチ・ステップと、前記ステッチ・ステップによってステッチされた中央部分を折り目として半分に折り返す折りステップをさらに有することを特徴とする。
【００１９】
また、請求項１４に記載の発明は、請求項８に記載の画像処理装置の制御方法であって、前記設定ステップは、さらに所望のページの画像データを左右どちらのページに配置させるかを指定しない設定が可能であることを特徴とする。
【００２０】
また、請求項１５に記載の発明は、複数ページの画像データを各用紙の両面に印刷させ、複数の用紙を出力させる画像処理装置の制御プログラムにおいて、前記複数の用紙が製本処理された製本物の見開きページに対して左ページに配置するか、右ページに配置するかを、前記複数ページのそれぞれに対しユーザに選択させて、各ページの配置を設定させる設定ステップと、前記設定ステップで設定された各ページの配置に応じて、各ページの画像データにおけるページの割り付けを実行させるページ割り付けステップを有することを特徴とする。
【００２１】
また、請求項１６に記載の発明は、請求項１５に記載の画像処理装置の制御プログラムであって、前記ページ割り付けステップは、前記設定ステップで設定される所望のページの前に空白ページを挿入する必要がある場合、前記複数ページの画像データに空白画像データを挿入させることを特徴とする。
【００２２】
また、請求項１７に記載の発明は、請求項１５に記載の画像処理装置の制御プログラムであって、前記ページ割り付けステップは、前記設定ステップで設定される所望のページの画像データが割り付けられるページに基づいて、前記所望のページに続く次のページの画像データにおけるページの割り付けを実行させることを特徴とする。
【００２３】
また、請求項１８に記載の発明は、請求項１５に記載の画像処理装置の制御プログラムであって、前記設定ステップは、さらに所望のページの画像データを左右どちらのページに配置させるかを指定しない設定が可能であることを特徴とする。
【００２４】
また、請求項１９に記載の発明は、複数ページの画像データを各用紙の両面に印刷させ、複数の用紙を出力させる画像処理装置の制御プログラムを記録したコンピュータ読み取り可能な記録媒体において、前記複数の用紙が製本処理された製本物の見開きページに対して左ページに配置するか、右ページに配置するかを、前記複数ページのそれぞれに対しユーザに選択させて、各ページの配置を設定させる設定ステップと、前記設定ステップで設定された各ページの配置に応じて、各ページの画像データにおけるページの割り付けを実行させるページ割り付けステップを有することを特徴とする。
【００２５】
【発明の実施の形態】
以下、図面を参照して本発明の実施形態について説明する。
【００２６】
図３は、本発明の画像処理装置の一実施形態である画像形成装置、すなわち複写装置の例を示している。この一実施形態としての画像形成装置は、図３に示すように、複写装置本体１００と、この上部に配置された循環式自動原稿送り装置（ＲＤＦ）１８０により構成されている。
【００２７】
ＲＤＦ１８０の読み取りモードには、ＲＤＦ１８０内の原稿フィーダのトレイ上に載せた原稿を下から給紙する降順読み取りモードと、上から給紙する昇順読み取りモードがある。
【００２８】
図３を用いて、複写装置本体１００を説明する。上面に位置する符号１０１は原稿載置台としてのプラテン・ガラスであり、ＲＤＦ１８０により給紙される原稿を載置するものである。その下部に位置する符号１０２はスキャナであり、原稿照明ランプ１０３と走査ミラー１０４とを有し、原稿載置台１０１に載置された原稿をスキャンするものである。図示しないモータによりスキャナ１０２が所定方向に往復走査されたとき、原稿からの反射光は走査ミラー１０４〜１０６を介してレンズ１０８に導かれ、レンズ１０８を透過した光はＣＣＤ（charge coupled device）１０９上に結像される。ＣＣＤ１０９からの画像信号は、後述する所定の画像処理が行われる。
【００２９】
符号１２０は、露光制御部であり、レーザーとポリゴン・スキャナとを有し、変調されたレーザー光１２９を出射するものである。出射されたレーザー光１２９は複数のミラーにより感光体ドラム１１０に導かれる。符号１２６の部分は、画像形成部であり、感光体ドラム１１０の周囲に、１次帯電器１１２と現像器１２１と転写帯電器１１８とクリーニング装置１１６と前露光ランプ１１４が配置してある。
【００３０】
感光体ドラム１１０は、図示しないモータにより図３に矢印で示す方向に回転され、１次帯電器１１２により所望の電位に帯電された後、露光制御部１２０からのレーザー光１２９が照射され、感光体ドラム１１０に静電潜像が形成される。感光体ドラム１１０上に形成された静電潜像は、現像器１２１により現像されて、トナー像として可視化される。
【００３１】
符号１３１は上段カセット、符号１３２は下段カセットであり、用紙を収納するためのものである。上段カセット１３１の用紙は、ピックアップ・ローラ１３３により１枚づつ取り出され、給紙ローラ１３５により経路１６０を通ってレジスト・ローラ１３７に送られる。下段カセット１３２の用紙は、ピックアップ・ローラ１３４により１枚づつ取り出され、給紙ローラ１３６により経路１６０を通ってレジスト・ローラ１３７に送られる。
【００３２】
転写帯電器１１８は、レジスト・ローラ１３７により転写ベルト１３０に送られる用紙（転写紙）に、感光体ドラム１１０上のトナー像を転写させるものである。転写後の感光体ドラム１１０の残留トナーは、クリーナー装置１１６により清掃され、残留電荷が前露光ランプ１１４により消去される。
【００３３】
符号１１９は、吸着帯電器であり、レジスト・ローラ１３７から送られた転写紙を転写ベルト１３０に吸着させるものである。符号１３８は、転写ベルト・ローラであり、転写ベルト１３０を回転させるものである。転写ベルト・ローラ１３８は、吸着帯電器１１９と協働して転写ベルト１３０に転写紙を吸着帯電させる。転写ベルト１３０により送られた転写紙は分離され、転写紙上のトナー像が定着前帯電器１３９、１４０により再帯電される。そして、転写紙は、定着器１４１により加圧、加熱されて定着され、排紙ローラ１４２により装置本体１００外に排出される。
【００３４】
符号１５０は、給紙デッキであり、多量の用紙、たとえば、４０００枚の用紙を収納するためのものである。符号１５１は、給紙デッキ１５０のリフタであり、給紙ローラ１５２に用紙が常に当接するように、用紙の量に応じて上昇する。符号１５３は、マルチ手差し部であり、たとえば１００枚の用紙を収容できるようになっている。
【００３５】
符号１５４は、排紙フラッパであり、両面記録側ないし多重記録側の経路と排紙側の経路を切り替えるためのものである。排紙ローラ１４２から送り出された転写紙は、この排紙フラッパ１５４により両面記録側ないし多重記録側の経路に切り替えられる。符号１５８は、下搬送パスであり、排紙ローラ１４２から送り出され、反転パス１５５を介して反転された転写紙を再給紙トレイ１５６に導くためのものである。
【００３６】
符号１５７は、多重フラッパであり、両面記録と多重記録を切り替えるものである。多重フラッパ１５７を左方向に倒すことにより、転写紙は反転パス１５５を介さずに、下搬送パス１５８に送り出される。符号１５９は、給紙ローラであり、転写紙を画像形成部１２６の感光体ドラム１１０に送り出すものである。
【００３７】
符号１６１は、排出ローラであり、排紙フラッパ１５４の近傍に配置してある。排出ローラ１６１は、排紙フラッパ１５４により排出側に切り替えられた転写紙を装置本体外に排出させる。両面記録や多重記録時には、排紙フラッパ１５４を切り替えて、転写紙が下搬送パス１５８を介して再給紙トレイ１５６に格納される。
【００３８】
このとき、両面記録時は、多重フラッパ１５７を右方向へ倒し、多重記録時には、多重フラッパ１５７を左方向に倒して経路を切り替える。再給紙トレイ１５６に格納されている転写紙は、下から１枚ずつ給紙ローラ１５９によりレジスト・ローラ１３７に送り出される。
【００３９】
装置本体から転写紙を反転して排出するときには、排紙フラッパ１５４と多重フラッパ１５７を切り替えて、転写紙を反転パス１５５側へ送り出す。そして、転写紙の後端が第１の送りローラ１６２を通過した後に、転写紙は反転ローラ１６３によって第２の送りローラ１６２ａ側へ送り出され、排出ローラ１６１によって装置本体外に排出される。
【００４０】
図４に示すフィニッシャ４０１（製本処理装置）が装着されている場合、装置本体１００から排出される転写紙がフィニッシャ４０１の入力部に送られる。符号４０２、４０３、４０４はステイプル・トレイであり、符号４０５はステッチ・トレイである。
【００４１】
ステイプル・モードの場合には、フィニッシャ４０１内でステイプル単位ごとに転写紙が溜められ、ステイプルされて、所定のステイプル・トレイに排出される。パンフレット・モードの場合には、フィニッシャ４０１内でステッチ（stitch）単位ごとに転写紙が溜められ、中央線に沿って２ヶ所綴じされ、さらに中央線で折り曲げられて、ステッチ・トレイ４０５に排出される。ステイプル・トレイやステッチ・トレイがジャム等の原因で使用できない場合、転写紙は割り込みトレイ４０６に排出される。
【００４２】
図１は、本発明の一実施形態である画像処理装置におけるブロック図である。符号１０８，１０９は図３と同一部分を示している。符号２０１は、レンズ１０８とＣＣＤ１０９とアナログ信号処理部２０２で構成される画像読み取り部である。原稿画像はレンズ１０８によりＣＣＤ１０９に結像され、ＣＣＤ１０９からのアナログ電気信号はアナログ信号処理部２０２で処理されている。アナログ信号処理部２０２では、アナログ電気信号をサンプル・ホールドし、ダーク・レベルを補正して、デジタル電気信号に変換し、さらに、そのデジタル化された信号をシェーディング補正し（原稿を読み取るセンサのばらつき、および原稿照明用ランプの配光特性の補正を行い）、変倍処理して画像データを生成している。
【００４３】
符号２０３は、電子ソータ部である。画像読み取り部２０１からの画像データは、Ｂｌａｃｋの輝度データとして入力され、γ補正等の出力系で必要な補正処理や、スムージング処理、エッジ強調、画像の回転処理、その他の処理が行われる。符号２０４は、図３に示す露光制御部１２０と画像形成部１２６と転写紙の搬送制御部を有するプリンタ部である。プリンタ部２０４は、入力された画像データ信号に基づき、転写紙上に画像を記録させる。
【００４４】
符号２０５は、ＣＰＵ２０６と、ＲＯＭ（read only memory）２０７と、ＲＡＭ（random access memory）２０８を有するＣＰＵ（central processing unit）回路部である。ＣＰＵ回路部２０５は、画像読み取り部２０１と電子ソータ部２０３とプリンタ部２０４を制御し、装置本体のシーケンスを統括的に制御している。
【００４５】
図２は、図１に示す電子ソータ部２０３の構成を示すブロック図である。図２において、符号３０１はｌｏｇ変換部であり、画像読み取り部２０１からの輝度データに対応するテーブル値を、輝度データを濃度データに変換するためのＬＵＴ（look up table）にしたがって出力することにより、ＣＣＤの光電変換特性を有する揮度データを多値の濃度データに変換するものである。
【００４６】
符号３０２は２値化部であり、ｌｏｇ変換部３０１からの多値の濃度データを２値化し、濃度値を８ｂｉｔの「０」または「２５５」とするものである。符号３０３は、制御部である。制御部３０３には、２値化部３０２で２値化された画像データが入力されるか、あるいは、コンピュータ（外部装置）からの画像データが入力される。制御部３０３は、バスを介して画像データを画像記憶部３０４に一旦格納したり、画像記憶部３０４から画像データを順次読み出したりする。
【００４７】
２値化部３０２で２値化された８ｂｉｔの画像データは、「０」または「１」の１ｂｉｔの画像データに変換されるので、画像記憶部３０４に格納される画像データ量は少なくすることができる。画像記憶部３０４はＳＣＳＩコントローラとハード・ディスク（外部記憶装置）を有する複数の記憶部と画像記憶制御部により構成されている。複数の記憶部は、それぞれ独立して動作することができる。
【００４８】
符号３０５は平滑化部であり、画像記憶部３０４から読み出された１ｂｉｔのデータを８ｂｉｔのデータに変換し、画像データの信号を「０」または「２５５」にするものである。符号３０６はγ補正部であり、平滑化部３０５からの８ｂｉｔのデータをγ補正するものである。さらに、γ補正部３０６は、濃度データを出力する際に、プリンタの特性を考慮したＬＵＴにより変換を行い、操作部で設定された濃度値に応じた出力の調整を行うものである。
【００４９】
画像を２値化する場合、画像の階調数は２５６階調から２階調になるため、写真画像のような中間調の多い画像データは２値化した場合、一般に、画像の劣化が著しい。そこで、誤差拡散法などの中間調を擬似的に表現する方法を採用している。
【００５０】
誤差拡散法は、ある画像の濃度がある閾値より大きい場合は、「２５５」の濃度データであるとし、ある閾値以下である場合は、「０」の濃度データであるとして２値化した後、実際の濃度データと２値化されたデータの差分を誤差信号として、回りの画素に配分する方法である。誤差の配分は、予め用意されているマトリクス上の重み係数を２値化によって生じる誤差に対して掛け合わせ、回りの画素に加算することによって行う。これによって、画像全体での濃度平均値が保存され、中間調を擬似的に２値で表現することができる。
【００５１】
次に、製本時のページの割り付けについて、製本物の種類において代表的なパンフレットを例にして説明する。図５は、左開きのパンフレットにおけるイメージを示す図である。図５に示す左開きのパンフレットを例にして、製本時のページの割り付けについて具体的に説明する。左開きとは、ページの昇順に製本されたページを捲る場合、右から左方向にページを移動させるものである。
【００５２】
図５（ａ）は、５枚の用紙に計１８ページの原稿を割り付けた場合に、用紙の折りとそれぞれの用紙に割り付けられるページとの関係を模式的に表した図である。図５（ａ）は、一番手前側の用紙の左側背面には原稿の９ページが、左側表面には原稿の１０ページが、右側表面には原稿１１ページが、そして右側背面には原稿１２ページが割り付けられていることを示している。図５（ｂ）は、図５（ａ）の場合における１８ページの原稿を、３枚の用紙ごとに分割してページの割り付けを実行した場合を示している。
【００５３】
図６は、図５を別の表し方で示した図である。図６（ａ）は図５（ａ）に対応し、図６（ｂ）は図５（ｂ）にそれぞれ対応する。図６は、図５におけるそれぞれの用紙を上方から見たイメージである。図６の１〜１８の数字は、そこに割り付けられる原稿のページを示し、これらの数字に挟まれる直線は用紙を示している。
【００５４】
図６は左開きの例を示しているが、右開きの場合について簡単に説明する。たとえば、図６（ａ）についていえば、原稿の１、２ページは５枚目の上部に割り付けられ、左開きの場合に１、２ページが割り付けられている場所には割り付けるべき原稿のページがないことになる。また、４枚目においては、１８と３、そして１７と４が入れ替わるように割り付けられることになる。なお、３枚目、２枚目、１枚目においては、５枚目、４枚目と同様である。
【００５５】
図５（ａ）、図６（ａ）のように分割しない場合における原稿のページ数と、この原稿が割り付けられる用紙枚数は、次の計算式で求められる。
用紙の使用枚数＝ＩＮＴ（（ページ数＋（Ｘ−１））／Ｘ）・・・（式１）
ここで、ＩＮＴ（）は（）内の数の小数点以下を切り捨てた整数を返す関数で、Ｘは１枚の用紙に割り付けることができる最大のページ数である。例示の場合は、Ｘ＝４であり、ページ数＝１８であるので、式１は、
用紙の使用枚数＝ＩＮＴ（（１８＋３）／４）＝５（枚）  ・・・（式２）
となる。
【００５６】
また、用紙をＹ枚毎の束に分割して行った場合、分割される束の数（分割数）は次の計算式で求められる。
【００５７】
分割数＝ＩＮＴ（（ページ数＋（Ｙ×Ｘ−１））／（Ｙ×Ｘ））・（式３）
ここで、Ｙ＝３、Ｘ＝４とすると、式３は、
分割数＝ＩＮＴ（（１８＋（１２−１））／１２）
＝ＩＮＴ（２９／１２）＝２（分割）              ・・・（式４）
となる。
【００５８】
用紙の使用枚数は、上述の場合と同じで５枚であり、５枚の束が３枚と、２枚の束に分かれることになる。
【００５９】
図７〜図１１は、図５に示すパンフレットで製本する場合に、ユーザーが操作する本体操作部上に設けられたタッチ・パネル式の画面を示す図である。なお、画面に表示された各選択肢の中で、斜線の部分は選択された選択肢を示している。図７は、通常時に表示される画面上で、たとえば応用モードが選択された際に表示される各種の応用モードを選択させる画面を示す図である。
【００６０】
図７において、「製本」が選択されると、図８に示すように、左開きかあるいは右開きかを選択させる画面に遷移する。ここで、「左開き」が選択されると、原稿のサイズを指定させる画面（図９）に遷移する。そして、原稿のサイズ、たとえば「Ａ４」が選択されると、綴じモードを選択させる画面（図１０）に遷移する。たとえば、ここで「綴じを指定する」が選択されると、「出力紙の指定」を求める画面（図１１）に遷移する。
【００６１】
図１１において、たとえば「Ａ４Ｒ」が選択されると、従来では、図１に示す循環式自動原稿送り装置（ＲＤＦ）１８０にセットされたＡ４（縦長）の原稿を、図示しないスタート・ボタンの押下により読み取られ、図５に示すように、Ａ４Ｒ（横長）の用紙に縮小されて印刷され、そして折られて綴じられていた。
【００６２】
本発明の実施形態では、図７〜図１１に示すような画面に加えて、図１２に示す画面が本体操作部に表示される。図１２は、製本処理されるパンフレットの見開きに対して、各原稿ページを左側のページに配置させるか、右側のページに配置させるかを設定させる画面である。
【００６３】
図１２は、「右指定」、「左指定」または「指定無し」を選択させ、各原稿ページの配置を設定させる形式である。ここでは、デフォルト値は、原稿のすべてのページにおいて「指定無し」になっている。図１２では、原稿の４ページ目、８ページ目、１３ページ目は「右指定」に、他のページは「指定無し」に選択されていることを示している。なお、原稿のすべてのページにおいて、ページの配置を設定できるようにしているが、特定の何ページ目かにおいて、ページの配置を設定できるようにしてもよい。
【００６４】
次に、図１２に示すようにページの配置が設定されている場合のページの割り付けについて説明する。図１３は、本発明によるページの割り付けを説明する図であり、図５と同様の表現方法である。ただし、図１３では、１５枚の原稿（１５ページの原稿）を使用した場合を示している。
【００６５】
図１３（ａ）は、ページの配置が設定されていない場合のページの割り付けを示している。つまり、従来から行われているページの割り付けを示している。図１３（ｂ）は、本発明によるページの割り付けをした場合を示している。図１３（ｂ）の左部は、原稿のページがどのページに配置されているかを明確に示す図であり、図１３（ｂ）の右部は、本発明によるページの配置の設定によりページの割り付けした後のページを明確に示す図である。
【００６６】
図１３（ｂ）では、図１２で示すように、ページの配置が設定されている原稿の４ページ目と１３ページ目において、製本処理されたパンフレットを見開いた際に、右側のページに割り付けられた状態になっている。図１４は、図１３を別の表し方で示した図であり、図６と同様の表現方法である。
【００６７】
次に、図１２におけるページの配置の設定により、図１３（ｂ）に示すようなページの割り付けを実行させる処理について説明する。
【００６８】
図１５〜図１８は、ＣＰＵ２０６（図１）がＲＡＭ２０８に格納されている画像処理装置の制御プログラムを実行する処理を示すフローチャートである。
【００６９】
図７〜図１２に示すような設定がされ、原稿が循環式自動原稿送り装置（ＲＤＦ）１８０内の原稿フィーダのトレイ上に載置された後に、スタート・ボタンが押下されると、図１５に示すフローチャートの処理が開始される。複数ページの原稿を順番に読み取り、複数ページの画像データとして画像記憶部３０４（図２）に記憶され、原稿の枚数が求められる（Ｓ１５０１）。
【００７０】
次に、ページの配置の設定に応じて、ページの割り付け処理を行う（Ｓ１５０２）。ページ割り付け処理で割り付けられた結果から、必要とされる出力用紙の枚数が求められる（Ｓ１５０３）。次に、パンフレットの束を分割して出力させるかを決めるための分割の設定がされているか否かが判定される（Ｓ１５０５）。
【００７１】
分割の設定がされていなければ、図１３（ａ）に示すように１束の用紙束で出力させる。分割の設定がされていれば、図１３（ｂ）に示すように１束の用紙枚数がステッチ装置と折り装置で制御できる枚数より小さくなるように分割して複数の束で出力させる（Ｓ１５０５）。ここで、分割される数（分割数）ｎは、前述した計算式により算出される（Ｓ１５０７）。また、分割の設定がされていない場合は、分割数ｎを１となり（Ｓ１５０９）、次の処理へ進む。
【００７２】
次に、出力される用紙束を分割させる管理をするために、分割回数をカウントするカウンタ（分割回数カウンタ）ｋを１に初期設定する（Ｓ１５１１）。分割されたｋ番目の束の出力用紙を随時ステッチ装置、折り装置側へ出力させるようにフィニッシャ４０１の内部制御をする（Ｓ１５１３）。
【００７３】
このときの出力用紙を重ねて中央で折り返したときに、ページ順になるように、出力用紙の表裏それぞれ２ページの原稿を割り付けるように制御して、ステッチすべき枚数になるまで出力する（Ｓ１５１５）。ステッチすべき枚数が出力されると、フィニッシャ４０１で用紙を半分に折るときの折り目部分にステッチを行い（Ｓ１５１７）、用紙を半分に折り（Ｓ１５１９）、ステッチ・トレイに出力する（Ｓ１５２１）。
【００７４】
そして、排出された用紙の束が、分割された最終の束であるか判定する（Ｓ１５２３）。否定判定の場合は、分割回数カウンタｋを１インクリメントし（Ｓ１５２５）、処理をステップＳ１５１３に戻す。また、肯定判定の場合は、設定された部数の出力が終了したかどうかの判断をする（Ｓ１５２７）。ステップＳ１５２７において、否定判定なら処理をステップＳ１５０５に戻し、肯定判定なら処理を終了する（Ｓ１５２７）。以上が、全体的な処理のフローである。
【００７５】
次に、ステップＳ１５０２のページ割り付け処理について、図１６を用いて説明する。
【００７６】
まず、図１２においてページの配置が設定されたか否かを判別する（Ｓ１６０１）。否定判定であれば、ページ割り付け処理を終了する。つまり、図１５に示すページ割り付け処理を終了し、ステップＳ１５０３に進む。肯定判定であれば、次のステップＳ１６０５に進む。
【００７７】
図８に示す画面で、右開きモードが選択されたか否かを判定する（Ｓ１６０５）。ここで、肯定判定の場合は右開き用ページ割り付け処理（Ｓ１６０７）に進み、否定判定の場合は左開き用ページ割り付け処理（Ｓ１６１１）に進む。ステップＳ１６０７、またはステップＳ１６１１の処理により、原稿のページの再構築を行い、処理を終了する。ステップＳ１６０７、ステップＳ１６１１では、入力された画像データのそれぞれのページに対して、新たなページが割り付けられ、ページ割り付け処理を終了する。
【００７８】
図１７は、図１６の左開き用ページ割り付け処理（Ｓ１６１１）のフローチャートである。ページ割り付け処理は、ページ位置を示すページ・データに基づいて行われる。ページ・データは、原稿のページを示す変数ｋとページ割り付け処理後のページを示す変数ＮｅｗＰａｇｅ（ｋ）の２種類である。
【００７９】
図１７の左開き用ページ割り付け処理を説明する。まず、原稿のページ数を示すｋを０（ゼロ）とし、さらに、ＮｅｗＰａｇｅ（０）を０（ゼロ）とする（Ｓ１７０１）。次に、ｋを１だけインクリメントする（Ｓ１７０３）。そして、その値ｋが原稿のページ数ｎを超えるか否かを判定する（Ｓ１７０５）。Ｓ１７０５の判定により、ｋがｎを超える場合は、左開き用ページ割り付け処理を終了する。
【００８０】
ｋがｎを超えない場合は、原稿のページｋに対して１ページ前のページ（ｋ−１）に相当するページ割り付け処理後のページ（ＮｅｗＰａｇｅ（ｋ−１））を１だけインクリメントする（Ｓ１７０７）。ＮｅｗＰａｇｅ（ｋ−１）を１だけインクリメントした値は、原稿のページｋがページ割り付け処理後に割り当てられるページを示している。
【００８１】
ＮｅｗＰａｇｅ（ｋ−１）＋１により求められる値をｐとすると、原稿のページｋがページ割り付け処理後に割り当てられるページ（ＮｅｗＰａｇｅ（ｋ−１）＋１）は、ページｐである。つまり、原稿のページｋがページ割り付け処理後に割り当てられるページはｐページ目となる。
【００８２】
原稿のページｋにおけるページの配置が、図１２に示すような画面でどのように設定されているかを判定する（Ｓ１７０９）。Ｓ１７０９の判定により、「指定無し」の場合は、原稿のページｋのページ割り付け処理後に割り当てられるページがｐページ目に決定される（Ｓ１７１２）。
【００８３】
Ｓ１７０９の判定により、「右ページ指定」の場合は、ｐが奇数であるかどうかを判定する（Ｓ１７１１）。ｐが奇数であれば、ステップＳ１７１２に進み、原稿のページｋのページ割り付け処理後に割り当てられるページがｐページ目に決定される。ｐが奇数でなければ、ページ割り付け処理後に割り当てられるｐページ目に白紙（空白画像データ）を設定する（Ｓ１７１７）。さらに、原稿のページｋのページ割り付け処理後に割り当てられるページが、ｐ＋１ページ目に決定される（Ｓ１７１９）。
【００８４】
一方、Ｓ１７０９の判定により、「左ページ指定」の場合は、ｐが偶数であるかどうかを判定する（Ｓ１７１９）。ｐが偶数であれば、ステップＳ１７１２に進み、原稿のページｋのページ割り付け処理後に割り当てられるページがｐページ目に決定される。ｐが偶数でなければ、ページ割り付け処理後に割り当てられるｐページ目に白紙（空白画像データ）を設定する（Ｓ１７１７）。さらに、原稿のページｋのページ割り付け処理後に割り当てられるページが、ｐ＋１ページ目に決定される（Ｓ１７１９）。そして、ステップＳ１７０３に戻る。
【００８５】
図１８は、図１６の右開き用ページ割り付け処理（Ｓ１６０７）のフローチャートである。図１７の左開き用ページ割り付け処理と同様に、ページ位置を示すページ・データに基づいて処理が行われる。
【００８６】
図１８の右開き用ページ割り付け処理は、左開き用ページ割り付け処理（図１７）と異なる点のみを説明をする。Ｓ１８００からＳ１８０７までのステップは、図１７と同様である。
【００８７】
原稿のページｋにおけるページの配置が、図１２に示すような画面でどのように設定されているかを判定する（Ｓ１８０９）。Ｓ１８０９の判定により、「指定無し」の場合は、原稿のページｋのページ割り付け処理後に割り当てられるページがｐページ目に決定される（Ｓ１８１２）。
【００８８】
Ｓ１８０９の判定により、「右ページ指定」の場合は、ｐが偶数であるかどうかを判定する（Ｓ１８１１）。ｐが偶数であれば、ステップＳ１８１２に進み、原稿のページｋのページ割り付け処理後に割り当てられるページがｐページ目に決定される。ｐが偶数でなければ、ページ割り付け処理後に割り当てられるｐページ目に白紙（空白画像データ）を設定する（Ｓ１８１７）。さらに、原稿のページｋのページ割り付け処理後に割り当てられるページが、ｐ＋１ページ目に決定される（Ｓ１８１９）。
【００８９】
一方、Ｓ１８０９の判定により、「左ページ指定」の場合は、ｐが奇数であるかどうかを判定する（Ｓ１８１９）。ｐが奇数であれば、ステップＳ１８１２に進み、原稿のページｋのページ割り付け処理後に割り当てられるページがｐページ目に決定される。ｐが奇数でなければ、ページ割り付け処理後に割り当てられるｐページ目に白紙（空白画像データ）を設定する（Ｓ１８１７）。さらに、原稿のページｋのページ割り付け処理後に割り当てられるページが、ｐ＋１ページ目に決定される（Ｓ１８１９）。そして、ステップＳ１８０３に戻る。
【００９０】
ここで、図７〜図１２で設定される設定内容に従った処理を用いて、ページ割り付け処理を具体的に示す。図８で「左開き」が設定されているので、図１７に示す左開き用ページ割り付け処理が実行される。原稿ページに対してページ配置の設定が行われている４ページについての述べる。原稿の４ページの処理では、ｋ＝４である（Ｓ１７０３）。ｋ＝４は、原稿のページ数を超えていないので、次のステップＳ１７０７に進む（Ｓ１７０５）。前ページのページ・データを基にして、ｐ＝４が得られる（Ｓ１７０７）。原稿の４ページは、図１２に示すように「右指定」に設定されているので、ステップＳ１７１１に進む（Ｓ１７０９）。
【００９１】
さらに、Ｓ１７０７で得られるｐ＝４は、奇数ではないので、Ｓ１７１７に進む（Ｓ１７１１）。ページ割り付け処理後の４ページは、白紙に設定される（Ｓ１７１７）。そして、原稿の４ページは、ＮｅｗＰａｇｅ（４）＝５に設定される（Ｓ１７１９）。したがって、原稿の４ページは、ページ割り付け処理後には５ページなる。
【００９２】
Ｓ１７１９は、Ｓ１７０３に戻る。そして、原稿の５ページは、１だけインクリメントしてｋ＝５に設定される（Ｓ１７０３）。ｋ＝５は、原稿のページ数を超えていないので、次のステップＳ１７０７に進む（Ｓ１７０５）。原稿の５ページのｐは、ＮｅｗＰａｇｅ（４）＋１で得られるので、６に設定される（Ｓ１７０７）。原稿の５ページは、図１２に示すようにページ配置の設定がされていないので、ステップＳ１７１２に進む。したがって、原稿の５ページは、ページ割り付け処理後には６ページなる。
【００９３】
図１９は、以上のようにページ割り付け処理された結果、原稿のページ・データがページ割り付け処理によってページ・データがどのように変化するかを示している。
【００９４】
[本発明の別の実施形態]
本発明の一実施形態として、パンフレットの製本物について説明したが、製本の種類は、パンフレットのほかに、２ヶ所綴じなどのステイプル製本もある。ステイプル製本は、複写装置本体１００で用紙の両面に印刷された出力用紙を、ステイプル機能のある製本処理装置により出力用紙を綴じて製本形式にしたものである。なお、本発明は、パンフレット製本、ステイプル製本の製本形態に限定されるものではなく、他の製本形態にも適用できる。
【００９５】
パンフレットと同様のページ割り付け処理を用いることにより、ステイプルされる製本物の見開きに対して、所望の原稿ページを右側のページに配置させるか、左側のページに配置させるかをユーザーにより設定させることができる。
【００９６】
以上、本発明の実施形態を説明したが、スキャナとプリンタを接続した情報処理装置の形態、あるいは図１〜図３に示すような複写装置に対して外部から画像情報を入力する形態に変更することは容易である。スタンド・アローンのステッチ装置（製本処理装置）がある場合には、パーソナル・コンピュータ（ＰＣ）とＰＣに接続された画像形成装置を組み合わせて実行することも可能である。なお、ＰＣに既に保存されている画像データ、あるいは通信回線を介して外部から入力した画像データを用いて、本発明の処理をすることも可能である。
【００９７】
なお、本発明は、上述した実施形態の機能を実現するソフトウェアのプログラム・コードを記憶した記憶媒体を、システムあるいは装置に供給し、そのシステムあるいは装置のコンピュータ（またはＣＰＵやＭＰＵ）が記憶媒体に格納されたプログラム・コードを読み出し実行することによっても達成される。
【００９８】
プログラム・コードを供給するための記憶媒体としては、たとえば、フロッピー（登録商標）ディスク、ハード・ディスク、光磁気ディスク、光ディスク、ＣＤ−ＲＯＭ、ＣＤ−Ｒ、磁気テープ不揮発性のメモリ・カード、ＲＯＭなどを用いることができる。
【００９９】
また、コンピュータが読み出したプログラム・コードを実行することによって、前述した実施形態の機能が実現される他、そのプログラム・コードの指示に基づき、コンピュータ上で稼動しているＯＳなどが実際の処理の一部または全部を行い、その処理によっても前述した実施形態の機能が実現される。
【０１００】
【発明の効果】
以上説明したように、本発明によれば、複数の用紙が製本処理された場合の製本物の見開きページに対して、所望のページの画像データを左ページに配置するか、右ページに配置するかを設定させる設定手段と、前記設定手段に応じて、各ページの画像データにおけるページの割り付けを制御する制御手段を有するので、文書における章の最初のページを製本物の見開きページに対して一定の位置（左右どちらかのページ）に配置させたり、２ページにまたがる画像を製本物の見開き２ページに対して配置させたりすることができる。
【０１０１】
また、ページの前後関係を考慮しながら白紙（空白画像データ）を挿入したりしなくてすむので、操作者の手間や時間を省くことができる。
【図面の簡単な説明】
【図１】本発明の一実施形態である画像処理装置におけるブロック図である。
【図２】図１に示す電子ソータ部の構成を示すブロック図である。
【図３】本発明の画像処理装置の一実施形態である画像形成装置を示す図である。
【図４】フィニッシャ（製本処理装置）を示す斜視図である。
【図５】製本された左開きのパンフレットを示す模式図である。
【図６】図５の左開きのパンフレットを上方から見た模式図である。
【図７】各種の応用モードを選択させるための操作画面を示す図である。
【図８】左開き製本か、右開き製本かを選択させる画面を示す図である。
【図９】原稿のサイズを指定させる画面を示す図である。
【図１０】綴じの指定の有無を選択させる画面を示す図である。
【図１１】出力紙を指定する画面を示す図である。
【図１２】製本処理されるパンフレットの見開きに対して、左側のページに配置させるか、右側のページに配置させるかを設定させる画面を示す図である。
【図１３】本発明によるページの割り付けを示す図である。
【図１４】図１３のページの割り付けを上方から見た模式図である。
【図１５】本発明の処理を示すフローチャートである。
【図１６】ページの割り付け処理を示すフローチャートである。
【図１７】左開き製本時のページの割り付け処理を示すフローチャートである。
【図１８】右開き製本時のページの割り付け処理を示すフローチャートである。
【図１９】原稿のページとページ割り付け処理によるページの比較を示す図である。
【符号の説明】
１０８    レンズ
１０９    ＣＣＤ
２０１    画像読み取り部
２０２    アナログ信号処理部
２０３    電子ソータ部
２０４    プリンタ部
２０５    ＣＰＵ回路部
２０６    ＣＰＵ
２０７    ＲＯＭ
２０８    ＲＡＭ
３０４    画像記憶部
【図１】
0003919544.tif 000002
【図２】
0003919544.tif 000003
【図３】
0003919544.tif 000004
【図４】
0003919544.tif 000005
【図５】
0003919544.tif 000006
【図６】
0003919544.tif 000007
【図７】
0003919544.tif 000008
【図８】
0003919544.tif 000009
【図９】
0003919544.tif 000010
【図１０】
0003919544.tif 000011
【図１１】
0003919544.tif 000012
【図１２】
0003919544.tif 000013
【図１３】
0003919544.tif 000014
【図１４】
0003919544.tif 000015
【図１５】
0003919544.tif 000016
【図１６】
0003919544.tif 000017
【図１７】
0003919544.tif 000018
【図１８】
0003919544.tif 000019
【図１９】
0003919544.tif 000020